(57)【要約】【課題】端末装置からのアクセスが固定回線経由であっても、当該端末装置に関連付けられたキャリア回線を特定可能とする。【解決手段】本発明の一態様に係るサーバ（４）は、制御部（４０１）と、通信部（４０３）とを備えたサーバであって、制御部（４０１）は、端末装置（６）からキャリア回線を経由してサーバ（４）にアクセスがあった場合に、前記キャリア回線を識別する情報を取得し、前記キャリア回線を示す情報であって、端末装置（６）から次回以降のアクセスがあった場合に参照可能となるように端末装置（６）に保存される情報を、通信部（４０３）を介して端末装置（６）に送信する。【選択図】図１
2020013422.tif 000002
【特許請求の範囲】
【請求項１】
制御部と、通信部とを備えたサーバであって、
前記制御部は、
端末装置からキャリア回線を経由して当該サーバにアクセスがあった場合に、前記キャリア回線を識別する情報を取得し、
前記キャリア回線を示す情報であって、前記端末装置から次回以降のアクセスがあった場合に参照可能となるように前記端末装置に保存される情報を、前記通信部を介して前記端末装置に送信する
ことを特徴とするサーバ。
【請求項２】
制御部と、通信部と、記憶部とを備えたサーバであって、
前記制御部は、
端末装置からキャリア回線を経由して当該サーバにアクセスがあった場合に、前記キャリア回線を識別する情報と、前記端末装置を識別する情報とを取得し、
前記端末装置を示す情報と前記キャリア回線を示す情報とを関連付けて前記記憶部に格納する
ことを特徴とするサーバ。
【請求項３】
前記制御部は、
前記端末装置が使用する前記キャリア回線に応じた情報を、前記通信部を介して前記端末装置に送信する
ことを特徴とする請求項１又は２に記載のサーバ。
【請求項４】
前記制御部は、
前記端末装置が使用する前記キャリア回線に応じた画面を示す情報を、前記通信部を介して前記端末装置に送信する
ことを特徴とする請求項３に記載のサーバ。
【請求項５】
前記制御部は、
前記画面を示す情報を、前記通信部を介して前記端末装置に送信し、
前記画面は、
前記キャリア回線とは異なる他のキャリア回線に関連付けられた画面を示す情報の送信を当該サーバに要求するボタンを含む
ことを特徴とする請求項４に記載のサーバ。
【請求項６】
前記制御部は、
前記端末装置に関連付けられたユーザの利用状況であって、当該サーバが提供するサービスの利用状況を参照して、前記端末装置に送信する情報を決定する
ことを特徴とする請求項３から５までの何れか１項に記載のサーバ。
【請求項７】
前記制御部は、
前記端末装置が使用する前記キャリア回線に応じた内容を含むメール又は通知を、前記通信部を介して前記端末装置に送信する
ことを特徴とする請求項３から６までの何れか１項に記載のサーバ。
【請求項８】
サーバと端末装置とを備えたデータ管理システムであって、
前記サーバは、制御部と、通信部とを備え、
前記制御部は、
前記端末装置からキャリア回線を経由して当該サーバにアクセスがあった場合に、前記キャリア回線を識別する情報を取得し、
前記キャリア回線を示す情報であって、前記端末装置から次回以降のアクセスがあった場合に参照可能となるように前記端末装置に保存される情報を、前記通信部を介して前記端末装置に送信する
ことを特徴とする管理システム。
【請求項９】
サーバと端末装置とを備えたデータ管理システムであって、
前記サーバは、制御部と、通信部と、記憶部とを備え、
前記制御部は、
前記端末装置からキャリア回線を経由して当該サーバにアクセスがあった場合に、前記キャリア回線を識別する情報と、前記端末装置を識別する情報とを取得し、
前記端末装置を示す情報と前記キャリア回線を示す情報とを関連付けて前記記憶部に格納する
ことを特徴とする管理システム。
【請求項１０】
装置によって実行されるデータの送信方法であって、
端末装置からキャリア回線を経由してサーバにアクセスがあった場合に、前記キャリア回線を識別する情報を取得する取得ステップと、
前記キャリア回線を示す情報であって、前記端末装置から次回以降のアクセスがあった場合に参照可能となるように前記端末装置に保存される情報を、前記端末装置に送信する送信ステップと、
を含むことを特徴とする送信方法。
【請求項１１】
装置によって実行されるデータの保存方法であって、
端末装置からキャリア回線を経由してサーバにアクセスがあった場合に、前記キャリア回線を識別する情報と、前記端末装置を識別する情報とを取得する取得ステップと、
前記端末装置を示す情報と前記キャリア回線を示す情報とを関連付けて記録装置に格納する保存ステップと、
を含むことを特徴とする保存方法。
【請求項１２】
請求項１から７までの何れか１項に記載のサーバとしてコンピュータを機能させるための制御プログラムであって、上記制御部としてコンピュータを機能させるための制御プログラム。
【請求項１３】
請求項１２に記載の制御プログラムを記録したコンピュータ読み取り可能な記録媒体。
【発明の詳細な説明】
【技術分野】
【０００１】
本発明は、被写体を撮影した撮影画像またはその編集画像である画像データを管理する写真管理サービスに係るサーバなどに関する。
【背景技術】
【０００２】
従来、サーバに対して端末装置からアクセスがあった場合、ユーザエージェントに含まれる情報、又は当該端末装置に割り当てられたIPアドレスを参照することにより、当該端末装置に関連付けられたキャリア回線を特定する技術が公知である。特許文献１では、ユーザエージェントを用いたユーザアクセスログの関連付け方法が開示されている。
【先行技術文献】
【特許文献】
【０００３】
【特許文献１】特開２０１８−１８５２３号公報（２０１８年２月１日公開）
【発明の概要】
【発明が解決しようとする課題】
【０００４】
しかしながら、上述のような従来技術は、端末装置からサーバへのアクセスがWi-Fi（登録商標）等によって固定回線を経由してなされた場合に、当該端末装置に関連付けられたキャリア回線を特定できないという問題がある。
【０００５】
本発明の一態様は、上記の問題に鑑みてなされたものであり、端末装置からのアクセスが固定回線経由であっても、当該端末装置に関連付けられたキャリア回線を特定可能とすることを目的とする。
【課題を解決するための手段】
【０００６】
上記の課題を解決するために、本発明の一態様に係るサーバは、制御部と、通信部とを備えたサーバであって、前記制御部は、端末装置からキャリア回線を経由して当該サーバにアクセスがあった場合に、前記キャリア回線を識別する情報を取得し、前記キャリア回線を示す情報であって、前記端末装置から次回以降のアクセスがあった場合に参照可能となるように前記端末装置に保存される情報を、前記通信部を介して前記端末装置に送信する。
【０００７】
上記の課題を解決するために、本発明の一態様に係るサーバは、制御部と、通信部と、記憶部とを備えたサーバであって、前記制御部は、端末装置からキャリア回線を経由して当該サーバにアクセスがあった場合に、前記キャリア回線を識別する情報と、前記端末装置を識別する情報とを取得し、前記端末装置を示す情報と前記キャリア回線を示す情報とを関連付けて前記記憶部に格納する。
【０００８】
上記の課題を解決するために、本発明の一態様に係る管理システムは、サーバと端末装置とを備えたデータ管理システムであって、前記サーバは、制御部と、通信部とを備え、
前記制御部は、前記端末装置からキャリア回線を経由して当該サーバにアクセスがあった場合に、前記キャリア回線を識別する情報を取得し、前記キャリア回線を示す情報であって、前記端末装置から次回以降のアクセスがあった場合に参照可能となるように前記端末装置に保存される情報を、前記通信部を介して前記端末装置に送信する。
【０００９】
上記の課題を解決するために、本発明の一態様に係る管理システムは、サーバと端末装置とを備えたデータ管理システムであって、前記サーバは、制御部と、通信部と、記憶部とを備え、前記制御部は、前記端末装置からキャリア回線を経由して当該サーバにアクセスがあった場合に、前記キャリア回線を識別する情報と、前記端末装置を識別する情報とを取得し、前記端末装置を示す情報と前記キャリア回線を示す情報とを関連付けて前記記憶部に格納する。
【００１０】
上記の課題を解決するために、本発明の一態様に係る送信方法は、装置によって実行されるデータの送信方法であって、端末装置からキャリア回線を経由してサーバにアクセスがあった場合に、前記キャリア回線を識別する情報を取得する取得ステップと、前記キャリア回線を示す情報であって、前記端末装置から次回以降のアクセスがあった場合に参照可能となるように前記端末装置に保存される情報を、前記端末装置に送信する送信ステップと、を含む。
【００１１】
上記の課題を解決するために、本発明の一態様に係る保存方法は、装置によって実行されるデータの保存方法であって、端末装置からキャリア回線を経由してサーバにアクセスがあった場合に、前記キャリア回線を識別する情報と、前記端末装置を識別する情報とを取得する取得ステップと、前記端末装置を示す情報と前記キャリア回線を示す情報とを関連付けて記録装置に格納する保存ステップと、を含む。
【発明の効果】
【００１２】
本発明の一態様によれば、端末装置からのアクセスが固定回線経由であっても、当該端末装置に関連付けられたキャリア回線が特定可能となる。
【図面の簡単な説明】
【００１３】
【図１】本発明の第１実施形態に係る撮影画像管理システムの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】実施形態１に係る処理の流れを示すシーケンス図である。
【図１２】実施形態１の処理を示す概略図である。
【図１３】端末装置がサーバに情報の要求を行った場合における応答画面の例を示す図である。
【図１４】実施形態１に係る処理の流れを示すフローチャートである。
【図１５】実施形態２に係る処理の流れを示すシーケンス図である。
【図１６】実施形態２に係る処理の流れを示すフローチャートである。
【発明を実施するための形態】
【００１４】
〔実施形態１〕
本発明の第１実施形態について、図１〜図１４を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００１５】
（撮影画像管理システム１０）
図１は、本発明の第１実施形態に係る撮影画像管理システム（管理システム）１０の要部構成を示すブロック図である。図２は、本発明の第１実施形態に係る撮影画像管理システム１０の構成を示す図である。図１および図２に示すように、撮影画像管理システム１０は、写真シール作成装置（写真撮影編集装置）１、携帯端末（端末装置）６、および管理サーバ（サーバ）４を備えている。
【００１６】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービス（画像管理サービス）をユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００１７】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００１８】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００１９】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００２０】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００２１】
画像提供サイトへの画像保存後、ユーザは、携帯端末６または所望の他の装置を用いて画像提供サイトにログインして、画像をダウンロードすることができる。
【００２２】
（写真シール作成装置の構成）
撮影画像管理システム１０を構成する各装置の構成および機能について、以下に詳細に説明する。まず、写真シール作成装置１の詳細について、図３〜図１０を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００２３】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００２４】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００２５】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００２６】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００２７】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００２８】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００２９】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００３０】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３１】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００３２】
図３に示す編集部１２の構成を正面側の構成とすると、２組のユーザが同時に編集することができるように、編集部１２の正面側と背面側には編集制御に用いられる構成がそれぞれ設けられる。
【００３３】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００３４】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００３５】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００３６】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００３７】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００３８】
（ユーザの移動）
写真シール作成ゲームの流れと、それに伴うユーザの移動について図５を参照して説明する。図５は、ユーザの移動について説明する図である。
【００３９】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００４０】
なお、ユーザの画像の撮影においては、すべての撮影がシール紙に印刷される画像を撮影するものとは限らず、携帯端末６に送信するため（または、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００４１】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４２】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００４３】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００４４】
画像の印刷が終了したとき、ユーザは、事後接客部１３に設けられた排出口からシール紙を受け取り、一連の写真シール作成ゲームを終えることになる。
【００４５】
（各部材の構成）
次に、写真シール作成装置１に備えられる各部材の構成について説明する。
【００４６】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００４７】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００４８】
正面パネル４１のほぼ中央には撮影・表示ユニット８１が設けられる。撮影・表示ユニット８１は、カメラ９１、正面ストロボ９２、およびタッチパネルモニタ９３から構成される。
【００４９】
カメラ９１は、ＣＣＤ（Charge Coupled Device）またはＣＭＯＳ（Complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００５０】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００５１】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５２】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００５３】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００５４】
足元ストロボ８６の右側には、ユーザがお金を投入する硬貨投入返却口８７が設けられる。
【００５５】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００５６】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００５７】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００５８】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００５９】
タブレット内蔵モニタ１３１は、タッチペン１３２Ａおよび１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００６０】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００６１】
（事後接客部１３）
編集部１２の左側には事後接客部１３が設けられる。図９は、写真シール作成装置１に備えられる事後接客部１３の構成例を示す図である。
【００６２】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００６３】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００６４】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００６５】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００６６】
スピーカ１６５は、事後接客時の案内音声、ＢＧＭ、効果音等の音を出力する。
【００６７】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００６８】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００６９】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００７０】
通信部２０３はインターネットなどのネットワークのインタフェースであり、制御部２０１による制御に従って外部の装置と通信を行う。
【００７１】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００７２】
ＲＯＭ２０６には、制御部２０１において実行されるプログラムおよびデータが記憶されている。ＲＡＭ２０７は、制御部２０１が処理するデータおよびプログラムを一時的に記憶する。
【００７３】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００７４】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００７５】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００７６】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００７７】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００７８】
カメラ９１は、制御部２０１による制御に従って撮影を行い、撮影によって得られた画像（画像）を制御部２０１に出力する。また、カメラ９１は、後述するユーザ認証を行う場合、ユーザの身体の一部、ユーザの姿勢（ポーズ）、または、ユーザの動き（ジェスチャー）を静止画または動画として撮影することにより、画像認証に係る情報（画像認証情報）を生成するための画像（認証用画像）を撮影し、制御部２０１に送信しても良い。
【００７９】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００８０】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００８１】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００８２】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００８３】
また、印刷部２１１は、印刷制御に係る処理において、シール紙への撮影画像（または編集画像）の印刷に加え、欄外（シール紙の端部など）に、管理サーバ４へ送信した画像を取得するためのＵＲＬ（Uniform Resource Locater）、および、シールＩＤ（画像取得用ＩＤ）などを印刷してもよい。シールＩＤとは、写真シール作成装置１において１ゲーム中に生成された１または複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００８４】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【００８５】
なお、印刷部２１１は、画像を取得するための情報として、ＵＲＬではなく、例えば、所定のメールアドレスまたはＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【００８６】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【００８７】
なお、管理サーバ４は、記憶部４０２の会員データベース４２２に格納された会員情報（詳しくは後述する）を写真シール作成装置１に定期的に送信してもよい（写真シール作成装置１が、会員情報を定期的にダウンロードしてもよい）。この場合、管理サーバ４と写真シール作成装置１とは、通信負荷が比較的少ない午前中や夜間に通信を行い、会員情報を送受信することが望ましい。
【００８８】
（制御部４０１の詳細）
図１に示すように、制御部４０１は、通信制御部４１１、メール作成部４１２、ウェブページ作成部４１３、画像管理部４１４、認証部（認証手段）４１５、および取得部４１６を備えている。
【００８９】
また、制御部４０１は、当該情報を参照して、携帯端末６に関連付けられたキャリア回線、つまり携帯端末６がモバイル通信に使用するキャリア回線を特定する。換言すると、制御部４０１は、当該情報を参照して、携帯端末６がモバイル通信を行う場合に何れの通信事業者が提供する通信回線を使用するのかを特定する。なお、上述したキャリア回線には、MVNO(Mobile Virtual Network Operator)事業者が提供する回線も含まれる。
【００９０】
なお、制御部４０１は、携帯端末６からの要求、例えばHTTPリクエスト等に含まれるユーザエージェントを参照してキャリア回線を特定してもよいし、アクセス元のIPアドレスが、何れの通信事業者に割り当てられたIPアドレスであるかによって、キャリア回線を特定してもよい。つまり、上述した、キャリア回線を識別する情報とは、例えば、上述したユーザエージェント又はIPアドレス等を意味する。
【００９１】
（通信制御部４１１）
通信制御部４１１は、通信部４０３による通信を制御する。
【００９２】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【００９３】
（ウェブページ作成部４１３）
ウェブページ作成部４１３は、携帯端末６、または、写真シール作成装置１（後述する各種モニタ）に表示されるウェブページを作成する。本実施形態では、ウェブページ作成部４１３は、ウェブページデータベース４２３に格納されているデータを用いて、携帯端末６または写真シール作成装置１から受信したアクセス要求に応じたウェブページを作成し、通信制御部４１１に出力する。詳細は後述するが、ウェブページ作成部４１３は、ユーザの会員種別に応じたウェブページを作成する。
【００９４】
なお、以下において「ページ」は、例えば、ウェブページのように、管理サーバ４が携帯端末６等の通信端末または写真シール作成装置１に送信して表示するためのデータを意味する。上記ページには、通常、テキストデータおよび画像データが含まれており、さらに、音声データおよび動画データが含まれていてもよい。
【００９５】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【００９６】
（認証部４１５）
認証部４１５は、写真シール作成装置１からユーザ認証の要求を受け付け、ユーザ認証を行うものである。認証部４１５は、写真シール作成装置１が抽出した特徴量を、通信部４０３および通信制御部４１１を介して受信する。認証部４１５は、さらに詳しくは、照合部４１５Ａを含む。
【００９７】
照合部４１５Ａは、会員データベース４２２に保存されている、ユーザの画像認証情報と、受信した特徴量とを照合する。
【００９８】
ここで、特徴量と画像認証情報とが合致する場合、管理サーバ４は、ユーザ認証が成功した旨（および当該ユーザの会員情報）を制御部２０１の登録制御部３１６（認証結果受信部３１６Ｃ）に送信する。一方、特徴量と画像認証情報とが合致しない場合、管理サーバ４は、ユーザ認証が失敗した旨を制御部２０１の登録制御部３１６（認証結果受信部３１６Ｃ）に通知する。なお、管理サーバ４は、ユーザ認証に成功した場合、写真シール作成装置１に対し、画像提供サイトへのアクセスを許可してもよい。そして、写真シール作成装置１は、後述する自機の各種モニタを用いて、画像提供サイトの各種データをユーザが閲覧および編集可能にしてもよい。
【００９９】
なお、ユーザ認証が所定の回数、失敗した場合は、通常の会員ＩＤおよびパスワードによる認証に切り替えてもよい。または、複数の種類の認証が可能である場合、他の認証方法に認証方法を切り替える操作を行って、当該他の認証方法で再度認証操作を継続してもよい。さらに、それらの認証によっても、認証が成功しなかった場合は、画像を削除する旨を別途入力されるメールアドレスの宛て先にメールで通知した上で、会員アカウントが所定期間使用されていない場合はサーバに保存されている画像を削除してもよい。
【０１００】
ここで、画像認証情報は、上述のように管理サーバ４において、ユーザ認証の基準として用いられる情報である。一方、特徴量は、上述のように画像認証情報と照合し、照合結果（認証の可否）を得るための情報である。したがって、特徴量は、画像認証情報との照合結果の判定精度が落ちない程度の精度の情報であればよく、画像認証情報に比べ、算出精度を落とした情報であっても構わない。
【０１０１】
写真シール作成装置１から受信した特徴量と、画像認証情報とが合致する場合、認証部４１５は、画像認証情報に対応するユーザ特定情報をキーとして、会員データベース４２２を探索することにより、上記ユーザ特定情報が示すユーザの、会員情報を読み出す。そして、認証部４１５は、認証成功を示す通知と、読み出した会員情報とを、通信制御部４１１および通信部４０３を介して写真シール作成装置１へと送信する。
【０１０２】
（取得部４１６）
取得部４１６は、携帯端末６からキャリア回線を経由して管理サーバ４にアクセスがあった場合に、前記キャリア回線を識別する情報を取得する。
【０１０３】
（記憶部４０２の詳細）
図１に示すように、記憶部４０２は、メールデータベース４２１、会員データベース４２２、ウェブページデータベース４２３、および画像データベース４２４を有している。記憶部４０２は、例えば、ＨＤＤ（Hard Disk Drive）、ＳＳＤ（Solid State Drive）等である。
【０１０４】
（メールデータベース４２１）
メールデータベース４２１は、ユーザに送信するメールを作成するための各種データを格納している。
【０１０５】
（会員データベース４２２）
会員データベース４２２は、画像提供サイトの会員であるユーザに関する各種情報（会員情報）を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、パスワード、生年月日、住所、会員属性、入会日、および、ユーザが保有する携帯端末の端末ＩＤなどを挙げることができる。また、会員属性としては、例えば、有料会員および無料会員などを挙げることができる。
【０１０６】
（ウェブページデータベース４２３）
ウェブページデータベース４２３は、携帯端末６または写真シール作成装置１（後述する各種モニタ）に表示される画像提供サイトのウェブページを作成するための各種データを格納している。
【０１０７】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１０８】
図示はしないが、記憶部４０２は、写真シール作成装置１から受信した画像などのデータを一時的に保存する一時保存データベースも有している。
【０１０９】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１１０】
（携帯端末６）
携帯端末６は、管理サーバ４に対するクライアントとして機能する装置であって、制御部６０１、表示部６０７、記憶部６０８及び通信部６０９を備える。携帯端末６は、例えば、スマートフォン、ノートパソコン、タブレット、或いは携帯ゲーム機等であってよい。
【０１１１】
制御部６０１は、携帯端末６全体を統括する制御装置であって、通信制御部６０３及び表示制御部６０２としても機能する。通信制御部６０３は、通信部６０９における通信処理に係る制御を行う。表示制御部６０２は、表示部６０７における画面表示に係る制御を行う。
【０１１２】
表示部６０７は、動画像及びテキスト等を表示する表示パネルである。また、表示部６０７は、携帯端末６に対する入力操作が可能なタッチパネルとして機能してもよい。
【０１１３】
記憶部６０８は、各種データを格納する記憶装置である。記憶部６０８は、例えば、管理サーバ４から送信される所定の情報をCookieとして保存する。通信部６０９は、管理サーバ４等、外部の装置との通信処理を行う。
【０１１４】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。
【０１１５】
（管理サーバの処理例）
以下、管理サーバ４が、携帯端末６が保存する、キャリア回線を示す情報を参照して以降の処理に用いる処理の流れについて、図１及び図１１〜図１４を参照してステップごとに説明する。図１１は、本実施形態に係る処理の流れを示すシーケンス図であって、携帯端末６がキャリア回線経由で管理サーバ４にアクセスを行い、続いてWi-Fi（登録商標）スポット等から固定回線経由で管理サーバ４にアクセスを行った場合の処理の流れを示すシーケンス図である。具体的には、図１１のステップＳ１０１の処理においては、携帯端末６は、キャリア回線を経由して、つまりモバイル通信によって管理サーバ４にアクセスを行う。また、ステップＳ１０６の処理においては、携帯端末６は、固定回線によって管理サーバ４にアクセスを行う。また、図１１におけるステップＳ１０５とＳ１０６との間の波線は、任意の時間の隔たりを意味している。また、図１２は、図１１のシーケンス図に基づく処理を示す概略図である。なお、管理サーバ４が、携帯端末６がアクセスに使用した通信回線を判定する処理等については、図１４を参照して後述する。
【０１１６】
＜ステップＳ１０１＞
携帯端末６は、管理サーバ４に対して、管理サーバ４が提供するサービスに関する情報の送信を要求する。具体的には、通信制御部６０３が、通信部６０９を介してキャリア回線経由で、当該情報の送信を要求する情報を管理サーバ４に送信する。以下、一例として、上述した情報とは、当該サービスのコンテンツの画面を示す情報であるものとして説明する。
【０１１７】
＜ステップＳ１０２＞
続いて、管理サーバ４が備える通信制御部４１１は、通信部４０３を介して、ステップＳ１０１において携帯端末６が送信した情報を受信する。
【０１１８】
そして制御部４０１は、当該情報に含まれるユーザエージェント等の情報を参照して、携帯端末６からのアクセスがキャリア回線経由であることと、当該キャリア回線が何れの通信事業者が提供するキャリア回線であるかとを特定する。
【０１１９】
＜ステップＳ１０３＞
続いて、制御部４０１は、記憶部４０２を参照して、ステップＳ１０１における携帯端末６の要求に対する応答、つまり管理サーバ４が提供するコンテンツの画面を示す情報と、ステップＳ１０２において特定したキャリア回線を示す情報とを携帯端末６に送信する。ここで、後者の情報は、携帯端末６から管理サーバ４に対して次回以降のアクセスがあった場合に管理サーバ４側から参照できるように、携帯端末６にCookieとして保存される情報である。
【０１２０】
そして、携帯端末６が備える通信制御部６０３は、通信部６０９を介して、管理サーバ４から送信された各情報を受信する。
【０１２１】
また、上述したコンテンツの画面とは、ステップＳ１０２において制御部４０１が特定したキャリア回線に応じたコンテンツの画面である。ここで、図１３を参照して、当該画面の一例について説明する。図１３（ａ）〜図１３（ｃ）は、それぞれ、携帯端末６が通信事業者であるＡ社〜Ｃ社が提供するキャリア回線を経由して管理サーバ４に情報の要求を行った場合における応答画面の例を示す図である。ここで、図１３（ａ）の画面には、Ｂ社及びＣ社に関連した情報は含まれていない。また、図１３（ｂ）の画面には、Ａ社及びＣ社に関連した情報は含まれていない。また、図１３（ｃ）の画面には、Ａ社及びＢ社に関連した情報は含まれていない。このように、管理サーバ４は、キャリア回線を特定することで、当該キャリア回線に応じた、図１３（ｄ）に例示する画面よりも簡潔な画面を示す情報を携帯端末６に送信することができる。ここで、図１３（ｄ）は、特定のキャリア回線に適合させない汎用的な応答画面例を示す図である。図１３（ｄ）に示す画面には、Ａ社〜Ｃ社に関連した情報が含まれており、大半のユーザに対して冗長であると言える。
【０１２２】
また、図１３の各図は、管理サーバ４が提供する有料サービスへの申し込み画面でもある。一般に、画面内のボタンが少ない程、表示されているボタンそれぞれが選択される確率は高くなる傾向にある。つまり、管理サーバ４が、携帯端末６に関連付けられたキャリア回線に応じた、有料サービスへの申し込み画面であって、他のキャリア回線に関する冗長な情報及びボタンの無い申し込み画面を示す情報を携帯端末６に送信することにより、ユーザが当該有料サービスに入会する確率が高くなる効果が期待できる。
【０１２３】
上述したように、制御部４０１は、携帯端末６が使用するキャリア回線に応じた画面等を示す情報を、通信部４０３を介して携帯端末６に送信してもよい。
【０１２４】
上記の構成によれば、管理サーバ４は、携帯端末６が使用するキャリア回線に応じた好適な内容を含む画面等を示す情報を、携帯端末６に対して提供できる。
【０１２５】
＜ステップＳ１０４＞
続いて、表示制御部６０２は、ステップＳ１０３において通信制御部６０３が受信した、コンテンツの画面を示す情報を参照して、当該画面を表示部６０７に表示させる。
【０１２６】
＜ステップＳ１０５＞
続いて、制御部６０１は、ステップＳ１０３において通信制御部６０３が受信した、キャリア回線を示す情報をCookieとして記憶部６０８に格納する。
【０１２７】
なお、ステップＳ１０４の処理とステップＳ１０５の処理とは、実行順序が入れ替わってもよいし、並行して実行されてもよい。
【０１２８】
＜ステップＳ１０６＞
携帯端末６が備える通信制御部６０３は、通信部６０９を介して固定回線経由で、管理サーバ４が提供するサービスに関する情報の送信を要求する情報と、ステップＳ１０５において記憶部６０８に格納されたCookie、つまり携帯端末６に関連付けられたキャリア回線を示す情報とを管理サーバ４に送信する。なお、上記サービスは、ステップＳ１０１におけるサービスに関連したものであってもよいし、そうでなくともよい。
【０１２９】
＜ステップＳ１０７＞
続いて、管理サーバ４が備える通信制御部４１１は、通信部４０３を介して、ステップＳ１０６において携帯端末６が送信した情報を受信する。
【０１３０】
そして制御部４０１は、ユーザエージェント等を参照して、携帯端末６からのアクセスが固定回線経由であることを特定する。そして制御部４０１は、キャリア回線を示す情報が携帯端末６からのCookieに含まれていると判定し、ステップＳ１０５において携帯端末６の記憶部６０８に格納されたCookie、つまり携帯端末６に関連付けられたキャリア回線を示す情報を参照して、当該キャリア回線を特定する。なお、キャリア回線を示す情報が携帯端末６からのCookieに含まれていない場合の処理については後述する。
【０１３１】
＜ステップＳ１０８＞
続いて、制御部４０１は、記憶部４０２を参照して、ステップＳ１０６における携帯端末６の要求に対する応答、つまり管理サーバ４が提供するコンテンツの画面であって、ステップＳ１０７で特定したキャリア回線に応じた画面を示す情報を携帯端末６に送信する。
【０１３２】
そして、携帯端末６が備える通信制御部６０３は、通信部６０９を介して、管理サーバ４から送信された当該情報を受信する。
【０１３３】
＜ステップＳ１０９＞
続いて、表示制御部６０２は、ステップＳ１０８において通信制御部６０３が受信した、コンテンツの画面を示す情報を参照して、当該画面を表示部６０７に表示させる。
【０１３４】
以上、図１１を参照して、管理サーバ４に対してキャリア回線を経由したアクセスがあったのちに、固定回線を経由したアクセスがあった場合の処理について説明した。続いて、管理サーバ４が、携帯端末６から送信された情報を参照して、以降の処理を決定する処理の流れについて、図１４を参照してステップごとに説明する。図１４は、本実施形態に係る処理の流れを示すフローチャートであって、管理サーバ４が、携帯端末６に送信する情報を決定する処理の流れを示すフローチャートである。
【０１３５】
＜ステップＳ２０１＞
管理サーバ４が備える制御部４０１は、携帯端末６から送信された要求に含まれる情報を参照して、携帯端末６からのアクセスが、キャリア回線を経由してなされたか、Wi-Fiスポット等から固定回線を経由してなされたかを判定する。キャリア回線を経由してアクセスされた場合、続いてステップＳ２０２の処理が実行され、固定回線を経由してアクセスされた場合、続いてステップＳ２０４の処理が実行される。
【０１３６】
＜ステップＳ２０２＞
ステップＳ２０２においては、取得部４１６が、ユーザエージェント又はIPアドレス等、携帯端末６に関連付けられたキャリア回線を識別する情報を取得し、制御部４０１が、当該情報を参照して、当該キャリア回線を特定する。
【０１３７】
＜ステップＳ２０３＞
通信制御部４１１は、ステップＳ２０２において制御部４０１が特定したキャリア回線を示す情報であって、携帯端末６にCookieとして保存される情報を、通信部４０３を介して携帯端末６に送信する。なお、通信制御部４１１は、上記情報を、後述するステップＳ２０６において画面を示す情報と共に、携帯端末６に送信してもよい。また、携帯端末６からのアクセスの際に送信される情報に、Cookieとしてキャリア回線を示す情報が既に含まれている場合は、必ずしも上記情報を送信することを要しない。
【０１３８】
＜ステップＳ２０４＞
制御部４０１は、携帯端末６から送信された情報を参照して、キャリア回線を示す情報が携帯端末６からのCookieに含まれているか否かを判定する。当該情報が含まれている場合は、続いてステップＳ２０５の処理が実行され、含まれていない場合又は当該Cookie自体が存在しない場合は、続いてステップＳ２０７の処理が実行される。
【０１３９】
＜ステップＳ２０５＞
制御部４０１は、Cookieに含まれる、携帯端末６に関連付けられたキャリア回線を示す情報を参照して、当該キャリア回線を特定する。ここまで説明したように、制御部４０１は、端末装置６からのアクセスがキャリア回線経由であれば、ユーザエージェント又はIPアドレス等からキャリア回線を特定し、固定回線経由であれば、Cookieを参照して当該キャリア回線を特定してもよい。
【０１４０】
＜ステップＳ２０６＞
制御部４０１は、記憶部４０２を参照して、ステップＳ２０２またはステップＳ２０５において特定したキャリア回線に応じた画面を示す情報を携帯端末６に送信する。
【０１４１】
＜ステップＳ２０７＞
制御部４０１は、記憶部４０２を参照して、特定のキャリア回線に対応しない、図１３（ｄ）により例示したような汎用的な画面を示す情報を携帯端末６に送信する。
【０１４２】
以上が、図１４のフローチャートに基づく処理の流れである。なお、図１１のシーケンス図のステップＳ１０２及びＳ１０３の処理が、図１４のフローチャートのステップＳ２０１〜Ｓ２０３及びＳ２０６の処理に相当し、ステップＳ１０７及びＳ１０８の処理が、ステップＳ２０１及びＳ２０４〜Ｓ２０６の処理に相当する。
【０１４３】
このように、本実施形態に係る管理サーバ４は、制御部４０１と、通信部４０３とを備えたサーバであって、制御部４０１は、携帯端末６からキャリア回線を経由して管理サーバ４にアクセスがあった場合に、前記キャリア回線を識別する情報を取得し、前記キャリア回線を示す情報であって、携帯端末６から次回以降のアクセスがあった場合に参照可能となるように携帯端末６に保存される情報を、通信部４０３を介して携帯端末６に送信する。
【０１４４】
上記の構成によれば、一度、携帯端末６からキャリア回線を経由したアクセスがあれば、以後の携帯端末６からのアクセスが固定回線経由であっても、携帯端末６に関連付けられたキャリア回線が特定可能となる。
【０１４５】
〔実施形態１の変形例１〕
以下、実施形態１の変形例について説明する。なお、説明の便宜上、上記実施形態にて説明した部材と同じ機能を有する部材については、同じ符号を付記し、その説明を繰り返さない。また、後述する変形例においても同様とする。
【０１４６】
本変形例において、携帯端末６から管理サーバ４へのアクセスは、携帯端末６にインストールされたブラウザ等の複数種類のアプリケーションのうち何れかのアプリケーションを介して行われる。また、管理サーバ４に送信されるCookieは当該複数種類のアプリケーションごとに携帯端末６に保存・使用される。そして、一例として、管理サーバ４が提供するサービスのユーザに関連付けられたアカウントＩＤを主キーとする情報が、管理サーバ４が備える記憶部４０２にデータベース形式で格納される構成である。
【０１４７】
上記の構成において、携帯端末６が、第１のアプリケーションを介してキャリア回線経由で管理サーバ４へのアクセスを行ったのち、管理サーバ４が備える制御部４０１は、当該キャリア回線を示す情報を、アカウントＩＤに関連付けて記憶部４０２に格納する。
【０１４８】
後に、携帯端末６が、第２のアプリケーションを介しての初めてのアクセスであって、固定回線を経由しての管理サーバ４へのアクセスを行った場合に、上述したアカウントＩＤで、管理サーバ４が提供するサービスにログインしたとき、管理サーバ４は、記憶部４０２に格納されたキャリア回線を示す情報を、第２のアプリケーションに対応するCookieとして携帯端末６に送信してもよい。また、管理サーバ４は、当該キャリア回線に応じた画面等を示す情報を、第２のアプリケーションを介した要求に対する応答として携帯端末６に送信してもよい。
【０１４９】
上記の構成によれば、携帯端末６が、固定回線経由でCookieの送信を伴わないアクセスを管理サーバ４に対して行った場合でも、何れかのアプリケーションを介したアクセスによってキャリア回線が特定されていれば、管理サーバ４は、当該キャリア回線に応じた情報を携帯端末６に送信することができる。
【０１５０】
〔実施形態１の変形例２〕
管理サーバ４が携帯端末６に対して送信するコンテンツは、特定したキャリア回線に応じた画面に限定されない。例えば、キャリア回線に応じたメールや、キャリア回線に応じたプッシュ通知等の通知であってもよい。また、管理サーバ４が携帯端末６に対して当該メール及び通知を送信するタイミングは、携帯端末６からのアクセスがあった直後のタイミングに限定されない。例えば、管理サーバ４は、不定期に、又は所定の時刻に当該メール又は通知を携帯端末６に送信してもよい。
【０１５１】
また、管理サーバ４から携帯端末６に送信される通知の形式をメールにするかプッシュ通知にするかを、写真シール作成装置１又は携帯端末６において設定可能な構成でもよい。
【０１５２】
写真シール作成装置１において通知の形式を設定する場合、写真シール作成装置１でのプレイにおいて、ユーザに通知の形式をメールにするかプッシュ通知にするかを入力させ、その通知形式情報を画像データと紐付けた状態で写真シール作成装置１から管理サーバ４に送信するようにしてもよい。この場合、管理サーバ４は、通知形式情報を参照して携帯端末６に送信する通知の形式を決定することができる。
【０１５３】
また、携帯端末６が、ブラウザ等を介して管理サーバ４にアクセスする場合、管理サーバ４は、ユーザに通知の形式をメールにするかプッシュ通知にするかを入力させる画面を表示するようにしてもよい。この場合、入力された設定を管理サーバ４側でユーザに紐付けて保存し、管理サーバ４が当該設定を参照して、携帯端末６に送信する通知の形式を決定してもよい。また、携帯端末６が、管理サーバ４が提供するサービスに対応するアプリケーションを介して管理サーバ４にアクセスする場合、ユーザに通知の形式をメールにするかプッシュ通知にするかを入力させる設定画面をアプリケーションが有していてもよい。この場合、入力された設定をアプリケーションが管理サーバ４へ送信し、管理サーバ４側でユーザに紐付けて保存し、管理サーバ４が当該設定を参照して、携帯端末６に送信する通知の形式を決定してもよい。
【０１５４】
このように、本変形例に係る管理サーバ４において、制御部４０１は、携帯端末６が使用する前記キャリア回線に応じた内容を含むメール又は通知を、通信部４０３を介して携帯端末６に送信してもよい。
【０１５５】
上記の構成によれば、管理サーバ４は、携帯端末６が使用するキャリア回線に応じた好適な内容を含むメール及び通知を、携帯端末６に対して提供できる。
【０１５６】
〔実施形態１の変形例３〕
管理サーバ４から携帯端末６に送信される画面には、特定したキャリア回線とは異なるキャリア回線に対応する画面の送信を要求するボタンが含まれていてもよい。例えば、管理サーバ４は、携帯端末６の使用するキャリア回線がＡ社の提供するキャリア回線であることを特定した場合、基本的にはＡ社の提供するキャリア回線に対応する画面ではあるが、Ａ社以外が提供するキャリア回線に対応する画面の送信を要求するボタンを含む画面を示す情報を携帯端末６に送信してもよい。当該画面において、例えばユーザが、Ｂ社の提供するキャリア回線に対応する画面の送信を要求するボタンを選択した場合、管理サーバ４は、当該画面を示す情報を携帯端末６に対して送信する。
【０１５７】
このように、本変形例に係る管理サーバ４において、制御部４０１は、携帯端末６が使用するキャリア回線に応じた画面を示す情報を、通信部４０３を介して携帯端末６に送信し、前記画面は、前記キャリア回線とは異なる他のキャリア回線に関連付けられた画面を示す情報の送信を管理サーバ４に要求するボタンを含む構成でもよい。
【０１５８】
上記の構成によれば、ユーザは、自身の携帯端末６が使用するキャリア回線以外のキャリア回線に対応する画面に含まれる情報を確認できる。
【０１５９】
〔実施形態１の変形例４〕
本変形例の構成は、管理サーバ４が備える記憶部４０２が、上述したアカウントＩＤを示す情報と、当該アカウントＩＤにおける、管理サーバ４が提供するサービスの利用状況とを関連付けて保存する構成である。
【０１６０】
ここで、サービスの利用状況とは、例えば、携帯端末６に対応するアカウントが、当該サービスに入会しているか否か、又は過去に当該サービスに何回入会していたか等を示す情報である。
【０１６１】
そして、本変形例に係る管理サーバ４において、制御部４０１は、携帯端末６に関連付けられたユーザの利用状況、つまり携帯端末６を使用するユーザに関連付けられたアカウントの利用状況であって、管理サーバ４が提供するサービスの利用状況を参照して、携帯端末６に送信する情報を決定してもよい。
【０１６２】
上記の構成によれば、例えば、当該サービスに入会したことが無いユーザを対象としたキャンペーンの内容を含む画面を示す情報を、対象とするユーザの携帯端末６にのみ送信することが可能となる。また、記憶部４０２がアカウントに対応するユーザの性別又は年齢等を示す情報をアカウントＩＤに関連付けて格納し、制御部４０１が、当該情報を参照して、携帯端末６に送信する情報を決定してもよい。なお、上述した各変形例における構成は、以降の実施形態に対しても適用可能である。
【０１６３】
〔実施形態２〕
本発明の第２の実施形態について、図１、図１５及び図１６を参照して説明する。なお、説明の便宜上、上記実施形態にて説明した部材と同じ機能を有する部材については、同じ符号を付記し、その説明を繰り返さない。本実施形態においては、管理サーバ４が、携帯端末６を示す情報とキャリア回線を示す情報とを関連付けて保存する構成について説明する。なお、本実施形態においても図１に示す構成を用いる。
【０１６４】
（管理サーバの処理例）
以下、管理サーバ４が、携帯端末６を示す情報とキャリア回線を示す情報とを保存して以降の処理に用いる処理の流れについて図１、図１５及び図１６を参照してステップごとに説明する。図１５は、本実施形態に係る処理の流れを示すシーケンス図であって、携帯端末６がキャリア回線経由で管理サーバ４にアクセスを行い、続いてWi-Fiスポット等から固定回線経由で管理サーバ４にアクセスを行った場合の処理の流れを示すシーケンス図である。具体的には、図１５のステップＳ１０１の処理においては、携帯端末６は、キャリア回線を経由して、つまりモバイル通信によって管理サーバ４にアクセスを行う。また、ステップＳ３０６の処理においては、携帯端末６は、固定回線によって管理サーバ４にアクセスを行う。また、図１５におけるステップＳ１０４とＳ３０６との間の波線は、任意の時間の隔たりを意味している。なお、管理サーバ４が、携帯端末６がアクセスに使用した通信回線を判定する処理等については、図１６を参照して後述する。
【０１６５】
＜ステップＳ１０１、Ｓ１０２＞
ステップＳ１０１、Ｓ１０２においては、実施形態１と同様の処理を行う。ステップＳ１０２の処理が実行されたのち、続いて、ステップＳ３０２の処理が実行される。
【０１６６】
＜ステップＳ３０２＞
続いて、制御部４０１は、ステップＳ１０１において携帯端末６から送信された情報に含まれる、携帯端末６を識別する情報、例えばMACアドレスと、ステップＳ１０２において特定したキャリア回線を示す情報とを関連付けて、例えばデータベース形式で記憶部４０２に格納する。なお、携帯端末６を識別する情報には、図示しないSIMカード（Subscriber Identity Module Card）等の、携帯端末６から取り外し可能な部材に由来する情報も含まれる。
【０１６７】
＜ステップＳ３０３＞
続いて、制御部４０１は、記憶部４０２を参照して、ステップＳ１０１における携帯端末６の要求に対する応答、つまり管理サーバ４が提供するコンテンツの画面を示す情報であって、ステップＳ１０２で特定したキャリア回線に応じた画面を示す情報を携帯端末６に送信する。
【０１６８】
そして、携帯端末６が備える通信制御部６０３は、通信部６０９を介して、管理サーバ４から送信された各情報を受信する。本ステップにおける処理が実行されたのち、続いてステップＳ１０４の処理が実行される。
【０１６９】
＜ステップＳ１０４＞
続いて、表示制御部６０２は、ステップＳ３０３において通信制御部６０３が受信した、コンテンツの画面を示す情報を参照して、当該画面を表示部６０７に表示させる。
【０１７０】
＜ステップＳ３０６＞
携帯端末６が備える通信制御部６０３は、通信部６０９を介して固定回線経由で、管理サーバ４が提供するサービスに関する情報の送信を要求する情報を管理サーバ４に送信する。なお、上記サービスは、ステップＳ１０１におけるサービスに関連したものであってもよいし、そうでなくともよい。
【０１７１】
＜ステップＳ３０７＞
続いて、管理サーバ４が備える通信制御部４１１は、通信部４０３を介して、ステップＳ３０６において携帯端末６が送信した情報を受信する。
【０１７２】
そして制御部４０１は、ユーザエージェント又はIPアドレス等を参照して、携帯端末６からのアクセスが固定回線経由であることを特定する。そして制御部４０１は、キャリア回線を示す情報が記憶部４０２に格納されていると判定し、本ステップにおいて携帯端末６から受信した情報に含まれる端末装置６を識別する情報と、ステップＳ３０２において記憶部４０２に格納した情報とを参照して、携帯端末６に関連付けられたキャリア回線を特定する。本ステップにおける処理が実行されたのち、続いて、ステップＳ１０８の処理が実行される。なお、記憶部４０２に当該情報が格納されていない場合の処理については後述する。
【０１７３】
＜ステップＳ１０８＞
続いて、制御部４０１は、記憶部４０２を参照して、ステップＳ３０６における携帯端末６の要求に対する応答、つまり管理サーバ４が提供するコンテンツの画面であって、ステップＳ３０７で特定したキャリア回線に応じた画面を示す情報を携帯端末６に送信する。
【０１７４】
そして、携帯端末６が備える通信制御部６０３は、通信部６０９を介して、管理サーバ４から送信された当該情報を受信する。
【０１７５】
＜ステップＳ１０９＞
続いて、表示制御部６０２は、ステップＳ１０８において通信制御部６０３が受信した、コンテンツの画面を示す情報を参照して、当該画面を表示部６０７に表示させる。
【０１７６】
以上、図１５を参照して、管理サーバ４に対してキャリア回線を経由したアクセスがあったのちに、固定回線を経由したアクセスがあった場合の処理について説明した。続いて、管理サーバ４が、携帯端末６から送信された情報を参照して、以降の処理を決定する処理の流れについて、図１６を参照してステップごとに説明する。図１６は、本実施形態に係る処理の流れを示すフローチャートであって、管理サーバ４が、携帯端末６に送信する情報を決定する処理の流れを示すフローチャートである。
【０１７７】
＜ステップＳ２０１、Ｓ２０２＞
ステップＳ２０１、Ｓ２０２においては、実施形態１と同様の処理を行う。具体的には、管理サーバ４が備える制御部４０１は、携帯端末６から送信された要求に含まれる情報を参照して、携帯端末６からのアクセスが、キャリア回線を経由してなされたか、Wi-Fiスポット等から固定回線を経由してなされたかを判定する。キャリア回線を経由してアクセスされた場合、続いてステップＳ２０２、Ｓ４０３の処理が実行され、固定回線を経由してアクセスされた場合、続いてステップＳ４０４の処理が実行される。
【０１７８】
＜ステップＳ４０３＞
制御部４０１は、携帯端末６から送信された情報に含まれる、携帯端末６を識別する情報、例えばMACアドレスと、ステップＳ２０２において特定したキャリア回線を示す情報とを関連付けて、例えばデータベース形式で記憶部４０２に格納する。
【０１７９】
＜ステップＳ４０４＞
制御部４０１は、携帯端末６を識別する情報とキャリア回線を示す情報とが関連付けられて記憶部４０２に保存されているか否かを判定する。保存されている場合、続いてステップＳ４０５の処理が実行され、保存されていない場合、続いてステップＳ２０７の処理が実行される。
【０１８０】
＜ステップＳ４０５＞
制御部４０１は、記憶部４０２を参照して、携帯端末６から送信された情報に含まれる、携帯端末６を識別する情報から、携帯端末６に関連付けられたキャリア回線を特定する。ここまで説明したように、制御部４０１は、端末装置６からのアクセスがキャリア回線経由であれば、ユーザエージェント等からキャリア回線を特定し、固定回線経由であれば、記憶部４０２に格納した情報を参照して当該キャリア回線を特定してもよい。本ステップにおける処理が実行されたのち、続いてステップＳ２０６の処理が実行される。
【０１８１】
＜ステップＳ２０６＞
制御部４０１は、記憶部４０２を参照して、ステップＳ２０２またはステップＳ４０５において特定したキャリア回線に応じた画面を示す情報を携帯端末６に送信する。
【０１８２】
＜ステップＳ２０７＞
制御部４０１は、記憶部４０２を参照して、特定のキャリア回線に対応しない、図１３（ｄ）により例示したような汎用的な画面を示す情報を携帯端末６に送信する。
【０１８３】
以上が、図１６のフローチャートに基づく処理の流れである。なお、図１５のシーケンス図のステップＳ１０２、Ｓ３０２及びＳ３０３の処理が、図１６のフローチャートのステップＳ２０１、Ｓ２０２、Ｓ４０３及びＳ２０６の処理に相当し、ステップＳ３０７及びＳ１０８の処理が、ステップＳ２０１、Ｓ４０４、Ｓ４０５及びＳ２０６の処理に相当する。
【０１８４】
このように、本実施形態に係る管理サーバ４は、制御部４０１と、通信部４０３と、記憶部４０２とを備えた管理サーバ４であって、制御部４０１は、携帯端末６からキャリア回線を経由して管理サーバ４にアクセスがあった場合に、前記キャリア回線を識別する情報と、携帯端末６を識別する情報とを取得し、携帯端末６を示す情報と前記キャリア回線を示す情報とを関連付けて記憶部４０２に格納する。
【０１８５】
上記の構成によれば、一度、携帯端末６からキャリア回線を経由したアクセスがあれば、以後の携帯端末６からのアクセスが固定回線経由であっても、携帯端末６に関連付けられたキャリア回線が特定可能となる。また、本実施形態において上述した処理は、携帯端末６が、Cookieの使用を無効にする設定を行っている場合にも適用できる。
【０１８６】
〔ソフトウェアによる実現例〕
管理サーバ４の制御ブロック（特に制御部４０１）及び携帯端末６の制御ブロック（特に制御部６０１）は、集積回路（ＩＣチップ）等に形成された論理回路（ハードウェア）によって実現してもよいし、ソフトウェアによって実現してもよい。
【０１８７】
後者の場合、管理サーバ４及び携帯端末６は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１８９】
１  写真シール作成装置
４  サーバ（管理サーバ）
６  端末装置（携帯端末）
１０  撮影画像管理システム（管理システム）
２０１、４０１、６０１  制御部
３１１、４１１、６０３  通信制御部
２０２、４０２、６０８  記憶部
２０３、４０３、６０９  通信部
４１６  取得部
６０２  表示制御部
６０７  表示部
【図１】
2020013422.tif 000003
【図２】
2020013422.tif 000004
【図３】
2020013422.tif 000005
【図４】
2020013422.tif 000006
【図５】
2020013422.tif 000007
【図６】
2020013422.tif 000008
【図７】
2020013422.tif 000009
【図８】
2020013422.tif 000010
【図９】
2020013422.tif 000011
【図１０】
2020013422.tif 000012
【図１１】
2020013422.tif 000013
【図１２】
2020013422.tif 000014
【図１３】
2020013422.tif 000015
【図１４】
2020013422.tif 000016
【図１５】
2020013422.tif 000017
【図１６】
2020013422.tif 000018